(57)【特許請求の範囲】
【請求項１】
略直方形の容器の少なくとも相対する二側壁の上部および下部に外方に突出する上部フランジおよび下部フランジを夫々形成し、該上部フランジの下面を正面視で略／￣＼形の斜起伏面に形成すると共に該下部フランジの上面を正面視で略＼＿／形の斜起伏面に形成してなる運搬用容器と、平面視がコ字形であって上面に前記上部フランジの斜起伏面に遊嵌する起伏を形成すると共に下面に前記下部フランジの斜起伏面に遊嵌する起伏を形成することにより前記運搬用容器が位置決め保持されるようにする保持アームとからなることを特徴とする運搬用容器保持手段。
【請求項２】
略直方形の容器の少なくとも相対する二側壁の上部および下部に外方に突出する上部フランジおよび下部フランジを夫々形成し、該上部フランジの下面を正面視で略＼＿／形の斜起伏面に形成すると共に該下部フランジの上面を正面視で略／￣＼形の斜起伏面に形成してなる運搬用容器と、平面視がコ字形であって上面に前記上部フランジの斜起伏面に遊嵌する起伏を形成すると共に下面に前記下部フランジの斜起伏面に遊嵌する起伏を形成することにより前記運搬用容器が位置決め保持されるようにする保持アームとからなることを特徴とする運搬用容器保持手段。
【発明の詳細な説明】
【技術分野】
【０００１】
本発明は、プラスチック製の運搬用容器、および、その運搬用容器を運搬のために位置決め保持する保持手段に関するものである。
【背景技術】
【０００２】
下記特許文献１に示されたプラスチック製の容器は、図８に示したように、上面が開放された四角箱状に成形され、各側壁の外周面に上下方向に延びる複数の縦リブａと、該各縦リブを横方向に連結する複数の横リブｂとを設け、該側壁下部に凹部ｃを該リブａ，ｂを浅く設けることにより形成し、図９に示したように、該凹部ｃに移載用フォークｄ（以下、保持アームｄという）を差し込み可能にすることにより、重い物を収容した状態での保持アームｄを使用しての容器運搬時の変形が防止されるようにしたものであった。
【特許文献１】特許第３１３５８５０号
【発明の開示】
【発明が解決しようとする課題】
【０００３】
ところで特許文献１に示された容器では、図９に示したように、該容器を持ち上げた状態で保持アームｄに対して該容器が水平に保持されないので、運搬時の振動や衝撃により該容器が該保持アームｄからずれて脱落し易いと共に、該容器を多段に積み上げるに際して下段の容器に対してズレが生じ易いので積み上げ作業がし難いという問題があった。また、該容器を保持アームｄに保持させ該容器を上下反転させることで収容物を排出させようとしても、従来の容器は保持アームｄによって安定した保持をすることができなかったので、この反転作業のようなものを自動化することが困難であった。
【課題を解決するための手段】
【０００４】
本発明は上記課題を解決しようとするもので、請求項１に記載した運搬用容器保持手段は、略直方形の容器の少なくとも相対する二側壁の上部および下部に外方に突出する上部フランジおよび下部フランジを夫々形成し、該上部フランジの下面を正面視で略／￣＼形の斜起伏面に形成すると共に該下部フランジの上面を正面視で略＼＿／形の斜起伏面に形成してなる運搬用容器と、平面視がコ字形であって上面に前記上部フランジの斜起伏面に遊嵌する起伏を形成すると共に下面に前記下部フランジの斜起伏面に遊嵌する起伏を形成することにより前記運搬用容器が位置決め保持されるようにする保持アームとからなることを特徴とする。
また、請求項２に記載した運搬用容器保持手段は、略直方形の容器の少なくとも相対する二側壁の上部および下部に外方に突出する上部フランジおよび下部フランジを夫々形成し、該上部フランジの下面を正面視で略＼＿／形の斜起伏面に形成すると共に該下部フランジの上面を正面視で略／￣＼形の斜起伏面に形成してなる運搬用容器と、平面視がコ字形であって上面に前記上部フランジの斜起伏面に遊嵌する起伏を形成すると共に下面に前記下部フランジの斜起伏面に遊嵌する起伏を形成することにより前記運搬用容器が位置決め保持されるようにする保持アームとからなることを特徴とする。
【発明の効果】
【０００６】
請求項１および請求項２に記載した発明によれば、保持アームによって運搬用容器を常に安定的に位置決め保持することができ、運搬時の振動や衝撃によっても運搬用容器が滑落するおそれがなく、また、保持アームを回転させ運搬用容器の上下を反転させたときも運搬用容器を安定的に保持することが可能となる。
【発明を実施するための最良の形態】
【０００７】
次に図面に従い本発明の実施の形態を説明する。図１はプラスチックにより射出成形される本発明に係る運搬用容器の斜視図、図２はこの運搬用容器の下面の斜視図である。この運搬用容器は、相対する側壁１ａ，１ｂと相対する側壁２ａ，２ｂと底壁３とからなる上面が開口した略直方形（平面視で正方形）の容器であり、該各側壁の上部に外方に突出する第１横リブ４ａ，第２横リブ４ｂおよび該横リブ４ａ，４ｂを結ぶ縦リブ４ｃとからなる上部フランジ４が一体に形成される。そして下側の第２横リブ４ｂを正面視で略／￣＼形にすることにより、該上部フランジ４の下面を正面視で略／￣＼形なる斜起伏面に形成している。
【０００８】
また、この運搬用容器の該各側壁の下部に外方に突出する下部横リブ５ａを形成すると共に、この運搬用容器の四隅角部外面下部に外方に突出する台形状ブロック５ｂを形成することにより、上面が正面視で略＼＿／形の斜起伏面となる下部フランジ５を形成している。なお、６，６，６…は、この運搬用容器の四隅角部の外面に上記横リブ４ａ，４ｂおよび台形状ブロック５ｂよりも低く形成した補強用の縦リブである。このため、上部フランジ４と下部フランジ５との間で各側壁の外面に夫々凹部７が形成される。なお、台形状ブロック５ｂは、図２に示されるように、下方が開口し、該台形状ブロック５ｂの内部に補強用リブ５ｄが形成される。また、底壁３の下面は補強用リブ３ａが緊密な格子状に形成されている。
【０００９】
一方、図３はこの運搬用容器の保持手段となる保持アームを示す。この保持アーム１０は、基部１１の先端部に一対のアーム１０ａ，１０ｂが平面視コ字形なるように形成され、該アームを運搬用容器外面の前記凹部７に図示矢印で示したように一方向から差し込むことができると共に、該保持アーム１０の上面は前記上部フランジ４の斜起伏面に遊嵌する略／￣＼形の起伏を形成し、該保持アーム１０の下面は前記下部フランジ５の斜起伏面に遊嵌する略＼＿／形の起伏を形成している。
【００１０】
このため、図４（イ）に示したように、凹部７に保持アーム１０を差し込んで、該保持アーム１０を上昇させることにより、図４（ロ）に示したように、該保持アーム１０の上面が上部フランジ４下面の前記斜起伏面に当接し、該斜起伏面に沿って該運搬用容器をずれさせるので、図４（ハ）および図５、図６に示したように、該運搬用容器が常に該保持アーム１０に対して正確に位置決めされて保持される。このため、運搬時の振動や衝撃によって該運搬用容器が該保持アーム１０上から滑落するおそれはなく、該運搬用容器を安定的に保持でき、該容器を多段に積み上げるに際しても位置ズレを起こすことがない。
【００１１】
また、該保持アーム１０を回転させ該運搬用容器の上下を反転させたとき、図４（ニ）に示したように、下部フランジ５の上記斜起伏面に対して保持アーム１０の起伏が当接し得るので、上下を反転させたときも該運搬用容器を安定的に保持することができる。このように保持アーム１０によって該運搬用容器を常に安定的に保持することができるので、このような反転作業をこの運搬用容器の保持手段によって容易に自動化することも可能となる。
【００１２】
この実施形態に示したように台形状ブロック５ｂによって下部フランジ５を形成したことによっては、表面に補強リブが現れないようにできるので、この搬送用容器が隣り合うように並べられた場合に、持ち上げ時にそのリブどうしが互いに引っ掛かって持ち上げの障害となるようなことがない。なお、図１に示した符号８は、台形状ブロック５ｂの上面に形成された透孔で、この運搬用容器を射出成形するに際して、図１における下方に位置する型部材と側方に位置する型部材とを型閉時にこの透孔８を貫通して連結させることにより、双方の型位置が安定的に位置決めされるように形成される。
【００１３】
また、この実施形態では、相対する二側壁１ａ，１ｂに上部フランジ４、下部フランジ５を形成するだけでなく、相対する二側壁２ａ，２ｂにも上部フランジ４および下部フランジ５を形成し、保持アーム１０をそのいずれの方向からも差し込みできるようにしたが、相対するいずれか一方の二側壁にのみ上部フランジ４および下部フランジ５を形成してもよい。また、反転の必要がなければ、上部フランジ４のみを形成し、下部フランジ５を形成しなくてもよいことも勿論である。
【００１４】
また、図７に示した実施形態は、上部フランジ４の下面を略＼＿／形なる斜起伏面に形成し、下部フランジ５の上面を略／￣＼形なる斜起伏面に形成すると共に、保持アーム１０の上面を該上部フランジ４の斜起伏面に遊嵌する略＼＿／形の起伏に形成し、保持アーム１０の下面を該下部フランジ５の斜起伏面に遊嵌する略／￣＼形の起伏が形成してなるものである。このように、上部フランジ４、下部フランジ５と、保持アーム１０とは凹凸関係を逆にしてもよい。要するに本発明ではこれらの凹凸の斜面の作用により運搬用容器を常に所定位置に安定させることができる。
【図面の簡単な説明】
【００１５】
【図１】本発明の実施形態を示す運搬用容器の斜視図。
【図２】図１の運搬用容器の下面の斜視図。
【図３】本発明の実施形態を示す運搬用容器の保持手段の斜視図。
【図４】本発明の作動状態を示した運搬用容器の正面図。
【図５】本発明の作動状態を示した運搬用容器の斜視図。
【図６】図５の縦断面図。
【図７】本発明の他の実施形態を示した運搬用容器の正面図。
【図８】従来の容器の斜視図。
【図９】従来の容器の保持状態を示す正面図。
【符号の説明】
【００１６】
１ａ，１ｂ，２ａ，２ｂ    側壁
３                        底壁
４                        上部フランジ
５                        下部フランジ
１０                      保持アーム
【図１】
0004945371.tif 000002
【図２】
0004945371.tif 000003
【図３】
0004945371.tif 000004
【図４】
0004945371.tif 000005
【図５】
0004945371.tif 000006
【図６】
0004945371.tif 000007
【図７】
0004945371.tif 000008
【図８】
0004945371.tif 000009
【図９】
0004945371.tif 000010